(57)【特許請求の範囲】
【請求項１】
基体と、
基体上に設けられ第２面が基体に対向し、透光性を有する導電接地層であって、カーボンナノチューブ層を含む導電接地層と、
導電接地層の第１面上に設けられる感光層であって、電荷発生素材と電荷輸送素材とを含み、導電接地層の第２面に光を当てることで電荷を消去できる感光層と、
を備える電子写真用フォトレセプタ。
【請求項２】
請求項１に記載の電子写真用フォトレセプタにおいて、
導電接地層の透光率は、１０％から４０％の範囲である電子写真用フォトレセプタ。
【請求項３】
請求項１に記載の電子写真用フォトレセプタにおいて、
導電接地層の透光率は、８０％から９７％の範囲である電子写真用フォトレセプタ。
【請求項４】
請求項１に記載の電子写真用フォトレセプタにおいて、
導電接地層は、
基体の上に設けられ、カーボンナノチューブ導電網からなる導電性の第１層と、
第１層の上に設けられ、第１層の導電性を変化させることなく第１層を安定化させるポリマ被覆材からなる第２層と、
を有する電子写真用フォトレセプタ。
【発明の詳細な説明】
【技術分野】
【０００１】
本発明は電子写真用フォトレセプタ、特に透光性の導電接地層内にカーボンナノチューブ層を組み込む改良に関する。
【背景技術】
【０００２】
電子写真用フォトレセプタの導電接地層を金属蒸着によって形成する手法には、形成された金属膜内の金属が電子写真法による画像形成の繰り返しで酸化物に変化する、という問題がある。これは、Ａｌ、Ｔｉ、Ｚｒ等といった導電接地層形成素材の電気化学活性が高く、容易に酸化して金属酸化物になるためである。例えばフォトレセプタ内をホールが横断移動すると、その周辺に水分が存することと相俟って導電接地層内で電気化学的な金属酸化が進み、それにより生じた金属酸化物の透光性や絶縁性に応じてフォトレセプタの透明性や電荷受入性が変化する。従って、同じ画像を何回も繰り返し印刷するとその画像をなぞるようにフォトレセプタの透明性や導電性が変化していき、放電用照明光の強度（フォトレセプタベルトの場合）や導電接地層の導電性が空間的に即ち画像をなぞるようにばらついてゴーストが発生するようになり、ついにはそのフォトレセプタ例えばベルトを使用することができなくなる。こうした現象を防ぐには電気化学活性が低く且つ透光性のある素材で導電接地層を形成すればよいが、それに適する素材は限られている。例えば炭素粒子を分散混入させた膜は、電気化学活性が低いけれども透光性も低いので使用に適していない。また、沃化銅や導電性ポリマ（ポリピロール、ポリアニリン等）なら透光性のある導電接地層を形成可能だが、それらには生産性が悪い、コストが高い、その技術がやや未成熟である等といった問題がある。更に、ＩＴＯ(indium tin oxide)のスパッタリングでも透明な導電接地層を形成可能だが、繰り返し通電すると直流電流の作用でインジウムにマイグレーションが生じ、その結果として導電接地層内に小規模な絶縁エリアが発生して印刷欠陥につながる等といった問題がある。これらの事情で、より良質な導電接地層を形成できるようにすることが求められている。
【０００３】
他方、ＩＯＩ(image on image)方式でカラー電子写真を形成する手法には、潜像形成のために照射する光線の一部が被着済トナー層によって吸収される、という問題がある。例えば相応波長レーザ光の照射によりマゼンタ、イエロー、シアン、ブラックの順でトナーを被着させる場合、イエロー、シアン及びブラック各色トナーの堆積量（トナー層厚）が被着済のマゼンタ色トナーの層厚で左右され、またシアン及びブラック各色トナーの層厚が被着済のマゼンタ及びイエロー各色トナーの層厚で左右される、といった具合である。ＩＯＩ方式におけるこうした問題を解決するには、フォトレセプタモジュール例えばベルトモジュールの内側からベルト背面越しに光線を当てればよいが、従来のフォトレセプタでは入射光線の約１０％しか透過させることができず、照光コストを抑えるのが難しかった。
【０００４】
【特許文献１】米国特許第４３３８３８７号明細書
【特許文献２】米国特許第４２８６０３３号明細書
【特許文献３】米国特許第４２９１１１０号明細書
【特許文献４】米国特許出願公開第２００７／００３７０８１号明細書
【発明の開示】
【発明が解決しようとする課題】
【０００５】
従って、いま求められているのは、透光性があり酸化性が低く且つ温度及び湿度の変化に対して安定な導電接地層を実現することである。
【課題を解決するための手段】
【０００６】
ここに、本発明の一実施形態に係る電子写真用フォトレセプタは、基体と、基体上に設けられ第２面が基体に対向し、透光性を有する導電接地層であって、カーボンナノチューブ層を含む導電接地層と、導電接地層の第１面上に設けられる感光層であって、電荷発生素材と電荷輸送素材とを含み、導電接地層の第２面に光を当てることで電荷を消去できる感光層と、を備える。
【０００７】
本発明の参考実施形態に係る画像形成装置は、基体、その上方にある透光性の導電接地層並びにその導電接地層内にあるカーボンナノチューブ層を有し且つ約１０００００マシンサイクル以上稼働させてもその導電接地層の透光性が高々約１０％しか変化しない電子写真用フォトレセプタと、電子写真用フォトレセプタを均一帯電させるためその電子写真用フォトレセプタの所定面に面して配置された１個又は複数個の帯電装置と、電子写真用フォトレセプタ上に潜像を形成するため各帯電装置の下流に配置された１個又は複数個の成像装置と、電子写真用フォトレセプタ上で潜像を可視像に変換させるため各成像装置の下流に且つ上記所定面に面して配置された１個又は複数個の現像装置と、可視像を電子写真用フォトレセプタから媒体上に転写及び固着させるため上記所定面に面して配置された転写装置と、あらゆる残留電荷を除去するための残留電荷除去装置と、を備える。
【０００８】
本発明の他の参考実施形態に係るＩＯＩ方式画像形成方法は、基材上方にある透光性の導電接地層並びにその導電接地層内にあるカーボンナノチューブ層を有し且つ約１０００００マシンサイクル以上稼働させてもその導電接地層の透光性が高々約１０％しか変化しない電子写真用フォトレセプタを準備するステップと、電子写真用フォトレセプタの片面を均一帯電させるステップと、その面上に潜像を形成するステップと、同面上で潜像を対応色の可視像に変換するステップと、上記各ステップの繰り返しにより一色又は複数色分の色別可視像を同面上に重畳形成するステップと、それら一色又は複数色分の色別可視像を同面から媒体上に転写するステップと、その面上の残留電荷をその電子写真用フォトレセプタの裏面に光を当てることで除去するステップと、を有する。
【発明を実施するための最良の形態】
【０００９】
図１Ａ及び図１Ｂに本発明の実施形態に係る電子写真用フォトレセプタドラム１００，１００’を示す。これらのドラム１００，１００’は、基体１１０の上方に透光性の導電接地層１２０を設けた構成である。図上は現れていないが、層１２０はその内部にカーボンナノチューブ層を設けることによって導電性を得ているので、本ドラム１００，１００’を約１０００００マシンサイクル以上稼働させても層１２０の透光性は高々約１０％しか変化しない。また、これらの実施形態では、アルミニウム、アルミニウム化プラスチック、紙、鋼、導電性プラスチック、他種プラスチック、木、セラミクス、ガラス、リサイクル鋼、リサイクル亜鉛等の素材又はその組合せで形成した基体１１０上に、その面抵抗が約３００Ω／□未満、可視域から赤外域にかけての透光率が約８０％超になるよう層１２０を形成しているが、その面抵抗が約１００００Ω／□未満、可視域から赤外域にかけての透光率が約１０〜４０％となるよう形成することや、その透光率が約４０〜９７％になるよう形成することこともできる。層１２０の厚みは、この例では約０．０１〜２０μｍ或いは０．０５〜１０μｍの範囲内である。
【００１０】
そのカーボンナノチューブ層は、透明下地層を一層又は複数層設けた上にカーボンナノチューブ薄膜を成長させることによって形成されている。下地層の材質は合成ポリマ素材、例えばポリエチレン、延伸ＰＥＴ(polyethylene terephthalate)、延伸ＰＥＮ(polyethylene naphthalate)、ポリカーボネート等であり、カーボンナノチューブ薄膜の素材はカーボンナノチューブ複合材、例えばカーボンナノチューブとポリマの複合材、カーボンナノチューブ入り樹脂等であり、その薄膜の形成方法はディップコーティング、スプレイコーティング、スピンコーティング、ウェブコーティング、ドローダウンコーティング、フローコーティング、押し出しダイコーティング等といった既存の塗布・被覆法である。カーボンナノチューブ層は、一例として、カーボンナノチューブ導電網からなる導電性の第１層を基体１１０の上方に形成し、更にその第１層の導電性を変化させることなく第１層を安定化させるようポリマ質の被覆材で第１層の上方に第２層を形成した構造を採っている。
【００１１】
カーボンナノチューブ層内で導電網を形成するカーボンナノチューブはＳＷＮＴ(single walled carbon nanotube)、ＤＷＮＴ(double walled carbon nanotube)、ＭＷＮＴ(multi walled carbon nanotube)等のカーボンナノチューブ複数本である。こうしたカーボンナノチューブを一種類又は複数種類入れ純化して得られるアズシンセサイズドフォームのカーボンナノチューブ層は、本件技術分野で習熟を積まれた方々（いわゆる当業者）にはご理解頂ける通り、構造的にはその壁数、直径、長さ、キラリティ及び欠陥率が異なる複数本のカーボンナノチューブの混入物である。それらのパラメタのうちキラリティ、即ちそのカーボンナノチューブが金属質かそれとも半導体質かを決めるパラメタは、例えばその層内のカーボンナノチューブのうち約３３％が金属質になるように設定する。また、カーボンナノチューブ層内に存するカーボンナノチューブの直径は例えば約０．５〜５０ｎｍ或いは約１．０〜１０ｎｍの範囲内、長さは例えば約１０ｎｍ〜５ｍｍ或いは約２００ｎｍ〜１０μｍの範囲内、同層におけるカーボンナノチューブ濃度は例えば約０．５〜９９重量％、約０．５〜５０重量％或いは約１〜２０重量％の範囲内、同層の厚みは例えば約２０ｎｍ〜２０μｍの範囲内にする。
【００１２】
このようなカーボンナノチューブ層を有する導電接地層１２０は、金属膜を用いる従来の導電接地層にない幾つかの長所を有している。まず、カーボンナノチューブには層１２０での使用に適する性質が数多くある。例えばその透光性、導電性、抗酸化性、可撓性及び引っ張り強度が高いことである。更に、層１２０内にカーボンナノチューブ層があると、高コストな表面処理工程が要らない種類の導電性基体や絶縁性基体を使用できる。なお、従来は、電子写真用フォトレセプタドラムで使用する基体を得るのに、ダイアモンドビットを用いた旋盤加工で素材表面を加工した後、その素材の表面を薬品洗浄して十分に平坦度を高める必要があった。
【００１３】
図１Ａ及び図１Ｂに示した電子写真用フォトレセプタドラム１００，１００’では、更に、電荷発生素材及び電荷輸送素材を含む感光層１３０が導電接地層１２０の上方に設けられている。例えば図１Ｂでは層１２０の上方に電荷発生層１３２を形成し、更にその層１３２の上方に電荷輸送層１３４を形成することによって層１３０が構成されているが、逆に電荷輸送層の上方に電荷発生層を形成してもよいし、或いは電荷発生素材及び電荷輸送素材を同じマトリクス例えばポリマ乃至樹脂内に分散させてもよい。層１３０の素材となりうるポリマ乃至樹脂としてはポリカーボネート、ポリスチレン、ポリビニルカルバゾール等があり、電荷発生素材としては有機顔料及び有機染料、例えばヒドロキシガリウムフタロシアニン、バナジルフタロシアニン、チタニルフタロシアニン、メタルフリーフタロシアニン、ペリレン（ベンゾイミダールペリレンやその同族体等）、スクエアレン(squaraine)色素、顔料等の物質又はそれらの任意の混合物等があり、電荷輸送素材としては有機アリールアミン化合物、例えばトリアリールアミン、そのアルキル、アリール、アルコキシ、アリーロキシ、ハロゲン又はアミノ置換同族体、アリールアミン置換ビフェニル及びターフェニル等の物質又はそれらの任意の混合物等がある。層１３０の厚みは例えば約５〜５０μｍ或いは約１５〜３５μｍの範囲内である。
【００１４】
また、図１Ａ及び図１Ｂに示した電子写真用フォトレセプタドラム１００，１００’には、図１Ｂに示す如く、導電接地層１２０の上方且つ感光層１３０の下方にアンダーコート層（内側被覆層）１５０を設けることができる。層１５０として設けうる層には例えばブロッキング層（電荷遮断層）がある。ブロッキング層、例えば正電荷（ホール）ブロッキング層は、その下方にある層１２０から層１３０内の電荷発生層１３２へのホール移動を効果的に妨げる障壁になる層であり、例えば押し出しダイコーティング、フローコーティング、スプレイング、ディップコーティング、ドローバーコーティング、グラビアコーティング、シルクスクリーン印刷、エアナイフコーティング、リバースロールコーティング、真空堆積、化学処理等といった従来手法のうち適当なものを用いて、例えば約５ｎｍ〜１０μｍの厚みになるよう設けるとよい。また、層１５０として接着層を設けること、例えば層１２０の上方に設けたブロッキング層の上方に接着層を設けることもできる。接着層は、例えば押し出しダイコーティング、フローコーティング、グラビアコーティング、スプレイング、ディップコーティング、ロールコーティング、ワイヤワウンドロッドコーティング等といった従来手法のうち適当なものを用い、またポリエステル及びコポリエステル樹脂等のうち適当な素材を用いて、例えば約０．０１〜９００μｍ或いは約０．０３〜１μｍの厚みになるよう形成するとよい。
【００１５】
更に、電子写真用フォトレセプタドラム１００，１００’には、図１Ｂに示す如く、感光層１３０の上方にオーバコート層（外側被覆層）１４０を設けることができる。層１４０は、ドラム１００’の表面を保護すると共にその摩耗を妨げるよう、電荷輸送層１３４の表層部を改質することで形成する。例えば、層１３４の表層部にシリカ、金属酸化物、Ａｃｕｍｉｓｔ（ワックス性ポリエチレン粒子の一種；登録商標）、ＰＴＦＥ(poly-tetrafluoroethylene)等のナノ粒子を分散質として含有させることで、潤滑性及び耐摩耗性に優れた層１４０を形成する。層１３４のうちナノ粒子を分散させる範囲を例えば層１３４の外表面から層厚の１／１０倍の深さまで、重量でいうと最大約１０重量％までにすると、電気的特性に悪影響を及ぼすことなく耐摩耗性に長けた層１４０を形成することができる。また、層１３４とは別に層１４０を設けることでも形成できる。その場合、層１３４として使用した樹脂と同類の又は異種の樹脂を用い、約１〜２μｍの厚みになるよう層１４０を形成するとよい。
【００１６】
なお、本願では、１個の画像を形成するプロセス全体を以て１マシンサイクルと数えている。即ち、電子写真用フォトレセプタ（上の実施形態ではドラム１００，１００’）に対する均一帯電処理から始まり、その表面への潜像形成処理、そのフォトレセプタ上での潜像から可視像への変換処理、並びにその可視像の媒体上への転写処理を経て、そのフォトレセプタ上に残留している電荷の除去処理に至るプロセス全体のことを指して、１マシンサイクルと称している。また、何マシンサイクルか稼働させた後にフォトレセプタの透光性を調べる方法としては、まず導電接地層（上の例では１２０）を除く全ての層を溶剤で除去し、分光光度計（例えば米国マサチューセッツ州ウォルサム所在のＰｅｒｋｉｎＥｌｍｅｒ社から入手できるＬａｍｂｄａ９００）を用いて導電接地層の透光率を計測する、という方法を使用している。いわゆる当業者にはご理解頂ける通り、フォトレセプタの透光率は他の方法でも計測できる。
【００１７】
図２Ａ及び図２Ｂに本発明の他の実施形態に係る電子写真用フォトレセプタベルト２００，２００’を示す。これらのベルト２００，２００’は、基体２１０の上方に透光性の導電接地層２２０を設けた構成である。図上は現れていないが、この層２２０ではその内部に設けたカーボンナノチューブ層によって導電性を得ているので、本ベルト２００，２００’を約１０００００マシンサイクル以上稼働させても層２２０の透光性は高々約１０％しか変化しない。また、基体２１０は例えば導電性素材のみで又は絶縁性素材で形成されている。使用できる絶縁性素材としては無機又は有機ポリマ素材、例えばＤｕＰｏｎｔ社が市販しているＭＹＬＡＲ（登録商標）等の二軸延伸ＰＥＴ、ＫＡＬＥＤＥＸ２０００（商品名）等のＰＥＮ、或いはその組合せがある。層２２０は、例えば、その透光性が約１０〜４０％或いは約４０〜９７％になるよう形成されている。但し、層２２０を、その面抵抗が約３００Ω／□未満、可視域から赤外域にかけての透光率が約８０％超となるよう形成することや、その面抵抗が約１００００Ω／□未満、透光率が約１０〜４０％となるよう形成することや、透光率が約４０〜９７％となるよう形成することもできる。層２２０の厚みは、例えば約０．０１〜２０μｍ或いは０．０５〜５μｍの範囲内である。
【００１８】
図２Ａ及び図２Ｂに示した電子写真用フォトレセプタベルト２００，２００’では、更に、導電接地層２２０の上方に感光層２３０が、また層２２０と導電接続するよう接地ストリップ層２２５が、それぞれ設けられている。層２２５は、例えばカーボンナノチューブ層によって、或いはポリマ質バインダに導電性のある金属、炭素又はグラファイトの粒子を入れた層として形成されている。また、これらの図では、導電接地層２２０の上方に電荷発生層２３２を形成し、更にその層２３２の上方に電荷輸送層２３４を形成することによって層２３０が構成されているが、逆に電荷輸送層の上方に電荷発生層を形成してもよいし、或いは電荷発生素材及び電荷輸送素材を同じマトリクス例えばポリマ乃至樹脂内に分散させてもよい。層２３０の厚みは例えば約５〜５０μｍ或いは約１５〜３５μｍの範囲内である。
【００１９】
そして、図２Ａ及び図２Ｂに示した電子写真用フォトレセプタベルト２００，２００’には、適当な素材によってアンチカール層（抗縮層）２１５が形成されている。また、図２Ｂに示すように、導電接地層２２０の上方にブロッキング層２５２を、またその層２５２の上方に接着層２５４を、そして感光層２３０の上方にオーバコート層２４０を、それぞれ設けることができる。
【００２０】
図３及び図５に本発明の一実施形態に係る画像形成装置３００，５００を模式的に示す。これらの装置３００，５００は、その基体の上方に透光性の導電接地層がある構成の電子写真用フォトレセプタ３０１，５０１を備えている。導電接地層内にカーボンナノチューブ層を設けることによってその導電接地層に導電性を付与しているので、フォトレセプタ３０１，５０１を約１０００００マシンサイクル以上稼働させてもその導電接地層の透光性は高々約１０％しか変化しない。また、それらフォトレセプタ３０１，５０１では、カーボンナノチューブ導電網からなる導電性の第１層を基体の上方に形成し、更にその第１層の導電性を変化させることなくその第１層を安定化させるようポリマ質の被覆材からなる第２層を第１層の上方に形成することによって導電接地層が形成されており、更に電荷発生素材及び電荷輸送素材を含む感光層がその導電接地層の上方に形成されている。導電接地層の透光性は約１０〜４０％であるが、透光率を約４０％超にすることもできる。
【００２１】
画像形成装置３００，５００は、更に、電子写真用フォトレセプタ３０１，５０１を均一帯電させるためそのフォトレセプタ３０１，５０１の所定面に面して配置された１個又は複数個の帯電装置３７１，３７３，３７５，３７７，５７１，５７３，５７５，５７７と、フォトレセプタ３０１，５０１上に潜像を形成するためフォトレセプタ進行方向３０５，５０５に沿って各帯電装置３７１，３７３，３７５，３７７，５７１，５７３，５７５，５７７の下流に配置された１個又は複数個の成像装置３７２，３７４，３７６，３７８，５７２，５７４，５７６，５７８とを備えている。図３に示した実施形態では、フォトレセプタ３０１から見て各帯電装置３７１，３７３，３７５，３７７がある側（上掲の所定面に面する側）と同じ側の下流寄りに各成像装置３７２，３７４，３７６，３７８があり、図５に示した実施形態では、フォトレセプタ５０１から見て各帯電装置５７１，５７３，５７５，５７７がある側と逆の側（上掲の所定面の裏面側）の下流寄りに各成像装置５７２，５７４，５７６，５７８がある。画像形成装置３００，５００は、また、フォトレセプタ３０１，５０１上で潜像を可視像に変換させるため各成像装置３７２，３７４，３７６，３７８，５７２，５７４，５７６，５７８の下流に且つ上掲の所定面に面して配置された１個又は複数個の現像装置３８１，３８２，３８３，３８４，５８１，５８２，５８３，５８４を備えている。例えば、１個目の現像装置３８１，５８１はマゼンタ、２個目の現像装置３８２，５８２はイエロー、３個目の現像装置３８３，５８３はシアン、４個目の現像装置３８４，５８４はブラックの可視像を形成する。画像形成装置３００，５００は、更に、フォトレセプタ３０１，５０１から方向３９５，５９５に沿って進行している媒体上に可視像を転写及び固着させるため上掲の所定面に面して配置された転写装置３９０，５９０と、あらゆる残留電荷を除去すべく図示の通り上掲の所定面の裏面に面して設けられた残留電荷除去装置３６１，５６１とを、備えている。そして、画像形成装置３００，５００では、図示の通りそのローラ３０８，５０８にフォトレセプタ３０１，５０１例えばベルトが架けられており、ローラ３０８，ローラ５０８の包絡沿いにフォトレセプタ３０１，５０１が進行している。
【００２２】
また、上掲の画像形成装置３００，５００における電子写真用フォトレセプタ３０１，５０１はベルトであるが、前掲の如き電子写真用フォトレセプタドラムを用いこれに類する画像形成装置（図示せず）を構成することもできる。その画像形成装置では、例えば、１個又は複数個の成像装置と、電子写真用フォトレセプタドラムの内側に配した残留電荷除去装置とを、無線を用い稼働させまた制御する。
【００２３】
図４に本発明の一実施形態に係るＩＯＩ方式画像形成方法４００を示す。本方法４００では、まず、基材の上方に形成された透光性の導電接地層並びにその導電接地層内にあるカーボンナノチューブ層を有し、約１０００００マシンサイクル以上稼働させてもその導電接地層の透光性が高々約１０％しか変化しない電子写真用フォトレセプタを準備する（４０１）。その導電接地層の面抵抗は約３００Ω／□未満、可視域から赤外域にかけての透光率は約８０％超である。但し、その面抵抗が約１００００Ω／□未満、透光率が約１０〜４０％となるよう導電接地層を形成することや、透光率が約４０〜９７％になるよう形成することこともできる。
【００２４】
ステップ４０１にて電子写真用フォトレセプタを準備するに当たっては、まず準備した基体の上方にカーボンナノチューブ層を含む透光性の導電接地層を形成する。基体上方でのカーボンナノチューブ層形成は、例えば、一種類又は複数種類のポリマ及び界面活性剤に複数本のカーボンナノチューブを入れたカーボンナノチューブ分散系によって基体の表面を被覆する、という方法で行う。より具体的には、カーボンナノチューブ分散系で基体を被覆してカーボンナノチューブ導電網を形成することにより導電性の第１層を形成し、次いでその第１層の導電性を変化させることなく第１層を安定化させるよう第１層の上方にポリマ質の被覆材で第２層を形成する、といった手順によって、カーボンナノチューブ層を基体上方に形成する。
【００２５】
本方法４００では、次いで電子写真用フォトレセプタの片面を均一に帯電させ（４０２）、更にその均一帯電面上に潜像を形成する（４０３）。例えば図３に示した装置であれば、均一帯電面に面する成像装置３７２によってその均一帯電面に光を当てることにより、電子写真用フォトレセプタ３０１の均一帯電面上に潜像を形成する。また、図５に示した装置であれば、均一帯電面の裏面に面する成像装置５７２によって均一帯電面の裏面に光を当てることにより、電子写真用フォトレセプタ５０１の均一帯電面上に潜像を形成する。本方法４００では、フォトレセプタの片面上にあるこの潜像を対応色の可視像に変換する（４０４）。本方法４００では、更に、これらのステップ４０２、４０３及び４０４の繰り返しにより一色又は複数色分の色別可視像を同面上に重畳形成する（４０５）。このステップ４０５では、例えば第１色可視像越しに第２色可視像を、その第２色可視像越しに第３色可視像を、そしてその第３色可視像越しに第４色可視像を形成する。例えば第１色はマゼンタ、第２色はイエロー、第３色はシアン、第４色はブラックである。本方法４００では、次いで、それら一色又は複数色分の色別可視像をフォトレセプタから媒体例えば紙上に転写し（４０６）、使用した面上の残留電荷をその裏面からフォトレセプタに光を当てることで除去する（４０７）。
【図面の簡単な説明】
【００２６】
【図１Ａ】本発明の一実施形態に係る電子写真用フォトレセプタドラムの構成を示す図である。
【図１Ｂ】本発明の他の実施形態に係る電子写真用フォトレセプタドラムの構成を示す図である。
【図２Ａ】本発明の更に他の実施形態に係る電子写真用フォトレセプタベルトの構成を示す図である。
【図２Ｂ】本発明の更なる実施形態に係る電子写真用フォトレセプタベルトの構成を示す図である。
【図３】本発明の一実施形態に係る画像形成装置の構成を模式的に示す図である。
【図４】本発明の一実施形態に係るＩＯＩ方式画像形成方法を示す図である。
【図５】本発明の他の実施形態に係る画像形成装置の構成を模式的に示す図である。
【符号の説明】
【００２７】
１００，１００’  電子写真用フォトレセプタドラム、１１０，２１０  基体、１２０，２２０  導電接地層、１３０，２３０  感光層、１３２，２３２  電荷発生層、１３４，２３４  電荷輸送層、１４０，２４０  オーバコート層、１５０  アンダーコート層、２００、２００’  電子写真用フォトレセプタベルト、２１５  アンチカール層、２２５  接地ストリップ層、２５２  ブロッキング層、２５４  接着層、３００，５００  画像形成装置、３０１，５０１  電子写真用フォトレセプタ、３０５，５０５  フォトレセプタ進行方向、３０８，５０８  ローラ、３６１，５６１  残留電荷除去装置、３７１，３７３，３７５，３７７，５７１，５７３，５７５，５７７  帯電装置、３７２，３７４，３７６，３７８，５７２，５７４，５７６，５７８  成像装置、３８１〜３８４，５８１〜５８４  現像装置、３９０，５９０  転写装置、３９５，５９５  媒体進行方向、４００  画像形成方法、４０１  フォトレセプタ準備ステップ、４０２  均一帯電ステップ、４０３  潜像形成ステップ、４０４  可視像形成ステップ、４０５  可視像重畳形成ステップ、４０６  可視像転写ステップ、４０７  残留電荷除去ステップ。
【図１Ａ】
0005383172.tif 000002
【図１Ｂ】
0005383172.tif 000003
【図２Ａ】
0005383172.tif 000004
【図２Ｂ】
0005383172.tif 000005
【図３】
0005383172.tif 000006
【図４】
0005383172.tif 000007
【図５】
0005383172.tif 000008